(57)【特許請求の範囲】
【請求項１】
竹を粉砕して得られた竹粉末を蒸気釜内に搬入する工程と、
前記蒸気釜にて、前記竹粉末に対して熱処理を施す工程と
を有する、カブトムシ飼育床の製造方法。
【請求項２】
前記熱処理を施す工程において、前記竹粉末に対して９０℃以上１００℃未満の前記高温蒸気による熱処理を施す、
請求項１に記載のカブトムシ飼育床の製造方法。
【請求項３】
前記熱処理が施された竹粉末に対して酸素発生剤を加える工程
をさらに有する、請求項１又は２に記載のカブトムシ飼育床の製造方法。
【請求項４】
前記熱処理が施された竹粉末に対して竹炭粉を加える工程
をさらに有する、請求項１乃至３の何れかに記載のカブトムシ飼育床の製造方法。
【発明の詳細な説明】
【技術分野】
【０００１】
本発明は、カブトムシの幼虫及び成虫の飼育に適した飼育床及びその製造方法に関する。
【背景技術】
【０００２】
カブトムシを飼育するための飼育床として、カブトムシの成育に好適な養分を含む竹チップを用いたものが提案されている。例えば、特許文献１には、伐採した成竹の根っこ、幹、枝葉の全部を数センチメートルのチップ状に破砕し、その竹チップを堆積し、成竹の大きさによって約１〜６か月間外で寝かせ、自然に分解させてなる竹チップの腐葉土飼育床が開示されている。このように枝葉についても併せて破砕し堆積することによって、分解が促進されて腐葉土化が進み、約１〜６ヵ月程度の期間で良質な飼育床を得ることができる。なお、この特許文献１には、竹チップを木質と繊維に分離してほぐしたり、すでに腐葉土化された竹チップ、米糠及び鶏糞を混合したりすることによって、腐葉土化をより一層促進させることができることも開示されている。
【０００３】
また、特許文献２には、竹の粉体または粒体あるいはそれらの混合物で構成され、ほぼ竹の性質そのままの機能性を有する昆虫用飼育床が開示されている。この昆虫用飼育床の場合、竹が有する忌避作用によりダニやキノコバエ等を寄せつけず、その滅菌作用によりカビを発生させず、さらに、その防臭作用によりほぼ無臭に近い状態を保つことが可能となる。また、竹は繊維質や栄養価に富むため、昆虫の餌としての機能も果たすことが期待できる。
【先行技術文献】
【特許文献】
【０００４】
【特許文献１】実用新案登録第３１３１５１６号
【特許文献２】特開２００５−２０４６４８号公報
【発明の概要】
【発明が解決しようとする課題】
【０００５】
上記の特許文献１に開示された腐葉土飼育床の場合、腐葉土化が必要となるため、それを促進させるための工夫を施したとしても、製造するためには相当程度の期間を要するという問題がある。また、腐葉土内で雑菌が繁殖するため、カブトムシの成育に不適な環境が生じるという問題もある。さらに、飼育床に竹チップが含まれていると、カブトムシの幼虫が蛹室を作ることが困難になるため、蛹になるときには飼育床を取り替える必要が生じるという問題もある。
【０００６】
また、上記の特許文献２に開示された昆虫用飼育床の場合、竹の粉体・粒体をそのまま昆虫の餌としているが、これでは栄養素が十分ではないという問題がある。特に、カブトムシの場合、幼虫の大きさが成虫の大きさに比例するため、大型のカブトムシの成虫を得るためには幼虫の大型化が不可欠であり、そのためにも幼虫に十分な栄養素を与える必要があるが、当該昆虫用飼育床ではそれを達成することができない。なお、特許文献２には、酵母、とうもろこし、小麦、大豆、米糠等を竹の粉体・粒体に混合させることによって豊富な栄養素を供給できる点が記載されているが、その場合、上述した忌避効果及び滅菌効果等を妨げることになり、また、飼育の手間が増大するという問題も生じる。
【０００７】
本発明は斯かる事情に鑑みてなされたものであり、その主たる目的は、上述した課題を解決することができるカブトムシの飼育床及びその製造方法を提供することにある。
【課題を解決するための手段】
【０００８】
本発明の一の態様のカブトムシ飼育床の製造方法は、竹を粉砕して得られた竹粉末を蒸気釜内に搬入する工程と、前記蒸気釜にて、前記竹粉末に対して熱処理を施す工程とを有する。
【０００９】
上記態様の熱処理を施す工程において、前記竹粉末に対して９０℃以上１００℃未満の前記高温蒸気による熱処理を施すことが好ましい。
【００１０】
また、上記態様において、前記熱処理が施された竹粉末に対して酸素発生剤を加える工程をさらに有することが好ましい。
【００１１】
また、上記態様において、前記熱処理が施された竹粉末に対して竹炭粉を加える工程をさらに有することが好ましい。
【発明の効果】
【００１４】
本発明に係るカブトムシ飼育床及びその製造方法によれば、カブトムシの成長に適した飼育床を比較的短期間に得ることができる。
【図面の簡単な説明】
【００１５】
【図１】本発明の実施の形態のカブトムシ飼育床製造装置の構成を示すブロック図。
【図２】本発明の実施の形態のカブトムシ飼育床の製造手順を示すフローチャート。
【発明を実施するための形態】
【００１６】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１７】
本実施の形態のカブトムシ飼育床は、竹を粉砕することにより得られる竹粉末と、その竹粉末に熱処理を施すことによって得られる当該竹粉末の分解生成物とを含むものである。以下では、このカブトムシ飼育床を製造するための製造装置及びその製造方法について説明する。
【００１８】
（カブトムシ飼育床製造装置の構成）
図１は、本発明の実施の形態のカブトムシ飼育床製造装置の構成を示すブロック図である。図１に示すとおり、カブトムシ飼育床製造装置１は、蒸気釜１１と、ボイラー１２と、これら蒸気釜１１及びボイラー１２間を接続する蒸気供給管１３と、蒸気釜１１内の蒸気を外部へ排出するための排気筒１４とを備えている。蒸気釜１１の内部には、所定量の竹粉末を載置するための複数段の棚２１が配設されている。
【００１９】
ボイラー１２は、外部から供給された冷水を加熱して高温の蒸気を発生させ、これを蒸気供給管１３を介して蒸気釜１１に供給する。その結果、蒸気釜１１内に高温の蒸気が充満し、これにより棚２１に載置された竹粉末が加熱される。このようにして竹粉末に熱処理が施されることによって、本実施の形態のカブトムシ飼育床が得られる。
【００２０】
（カブトムシ飼育床の製造方法）
上述したように構成されたカブトムシ飼育床製造装置１を用いて、カブトムシ飼育床が製造される。以下、その詳細についてフローチャートを参照しながら説明する。
図２は、本発明の実施の形態のカブトムシ飼育床の製造手順を示すフローチャートである。まず、竹の幹材を粉砕することにより得られた竹粉末を蒸気釜１１内に搬入して、棚２１上に載置する（Ｓ１）。竹粉末の大きさは特に限定されないが、例えば平均粒度で数１０μｍ乃至３０００μｍ程度のものを採用することができる。
【００２１】
次に、蒸気釜１１内に搬入された竹粉末に対して熱処理を施す（Ｓ２）。この熱処理は、ボイラー１２にて発生した９０℃以上１００℃未満の蒸気が、蒸気供給管１３を介して蒸気釜１１内に連続的又は間欠的に供給されることによって行われる。この熱処理によって、竹粉末に含まれる栄養素が分解され、カブトムシの餌、特にカブトムシの幼虫の餌として適した分解生成物が得られる。また、この蒸気による加熱によって竹粉末内の滅菌を行うことができる。
【００２２】
なお、本実施の形態では蒸気釜１１に供給される蒸気の温度の範囲を９０℃以上１００℃未満としているが、これに限定されるわけではない。但し、竹粉末内の滅菌を確実に行うためには、７５℃以上であることが好ましく、９０℃以上であることがより好ましい。また、高温になりすぎると竹粉末に含まれる栄養素が破壊されるおそれがあるため、１１０℃以下であることが好ましく、容易に扱うことができる１００℃未満であることがより好ましい。
【００２３】
上記の熱処理の実施時間は、蒸気の温度及び供給量、蒸気釜１１の炉内の大きさ、並びに気温等の諸条件により異なるが、蒸気釜１１内の棚２１に載置されている竹粉末の温度が９０℃以上１００℃未満となる時間が１時間程度以上継続するように設定されることが好ましい。通常、熱処理の実施時間は２時間乃至６時間程度となるが、これはあくまでも目安であって、カブトムシの餌となる分解生成物が得られるのであれば、この範囲を超えても構わない。
【００２４】
上述したようにして熱処理が実行された後、竹粉末は蒸気釜１１の外に搬出される（Ｓ３）。その後、常温まで冷却された竹粉末に対して所定量の酸素発生剤及び竹炭粉が加えられ、撹拌装置により撹拌される（Ｓ４）。ここで、酸素発生剤としては、過酸化カルシウムを主成分とする固形酸素発生剤（例えば、株式会社サンソが一番製の長期持続性固形酸素発生剤（商品名：サンソが一番））等を用いることができる。
【００２５】
以上の処理により、本実施の形態のカブトムシ飼育床が製造される。このカブトムシ飼育床の場合、従来のような腐葉土化が不要となるため、比較的短期間に製造することができる。そのため、大量生産が可能になる。
【００２６】
また、本実施の形態の場合、竹粉末に含まれる栄養素が分解されることにより得られた分解生成物がカブトムシにとって好適な餌となるため、栄養価の高い飼育床となる。そのため、本実施の形態のカブトムシ飼育床を用いてカブトムシの幼虫を飼育した場合、従来のような竹の粉体・粒体をそのまま昆虫の餌とする昆虫用飼育床と比べて、幼虫の大型化を実現することが可能となる。
【００２７】
また、従来の飼育床のように腐葉土を含有する場合、その腐葉土に多くの雑菌が含まれているため、これによりカブトムシの成育が阻害されるおそれがあるが、本実施の形態のカブトムシ飼育床の場合、そのような腐葉土を含まず、しかも熱処理によって滅菌を図ることができるため、カブトムシの成育に適した環境を実現することができる。
【００２８】
また、本実施の形態の場合、従来の飼育床のように竹チップにより構成されているのではなく、竹粉末により構成されているため、カブトムシの幼虫が容易に蛹室を作ることができる。そのため、幼虫が蛹となる時期に取り替える必要もなく、幼虫から成虫にわたって長期間の使用が可能になる。
【００２９】
また、本実施の形態の場合、酸素発生剤が含まれているため、カブトムシの幼虫が酸素欠乏に陥ることを防止することができる。特に、本実施の形態のように竹粉末で構成されている場合、竹チップ等で構成される場合と比べると、飼育床内に形成される空隙が少なくなるため、酸素欠乏状態が生じやすいといえる。そのため、本実施の形態のように、酸素発生剤を用いることによってカブトムシ飼育床内に酸素を供給するようにすることが好ましい。
【００３０】
また、本実施の形態の場合、竹炭粉が含まれているため、カブトムシの飼育中において脱臭及び雑菌の減少を図ることが可能になる。これにより、長期間にわたって取り替えることなくカブトムシに適した環境を維持することができる。
【００３１】
上述したように、本実施の形態ではカブトムシ飼育床に酸素発生剤及び竹炭粉が含まれているが、これらが含まれていなくてもよく、また、これらのうちの何れか一方のみが含まれていてもよい。
【００３２】
また、本実施の形態では、蒸気釜を用いて竹粉末に対する熱処理を行っているが、本発明はこれに限定されるわけではなく、例えば電気的に加熱するようにしてもよい。但し、竹粉末をムラなく加熱するためには、高温の蒸気を用いて熱処理を行うことが好ましい。
【産業上の利用可能性】
【００３３】
本発明のカブトムシ飼育床及びその製造方法はそれぞれ、カブトムシの幼虫及び成虫用の飼育床及びその製造方法等として有用である。
【符号の説明】
【００３４】
１  カブトムシ飼育床製造装置
１１  蒸気釜
１２  ボイラー
１３  蒸気供給管
１４  排気筒
２１  棚
【図１】
0006029157.tif 000002
【図２】
0006029157.tif 000003